(57)【要約】【課題】巻物状の二枚折重ねフィルムを開反する作業において、少ない人手で作業ができ、かつ一旦開反した二枚折重ねフィルム同士が再び密着し難い開反装置を提供する。【解決手段】少なくとも、フィルム繰出装置（Ａ）、フィルムガイド装置（Ｂ）、及び引取装置（Ｃ）からなり、折幅の片端に開き口を有する巻物状二枚折重ねフィルムを一枚のフィルムにする開反装置であって、フィルム繰出装置（Ａ）は二枚折重ねフィルムの巻物を巻物の軸方向の周りに回転可能に、かつほぼ垂直に保持しつつ、二枚折重ねフィルムを繰出し、フィルムガイド装置（Ｂ）は繰出された二枚折重ねフィルムを全折幅に亘り挟む２本組ロール、及び開き口から二枚折重ねフィルムを左右に開く山型ガイドからなり、引取装置（Ｃ）はしわを取除きつつ開かれたフィルムを引取る開反装置。【選択図】図１
2004307155.tif 000002
【特許請求の範囲】
【請求項１】
少なくとも、フィルム繰出装置（Ａ）、フィルムガイド装置（Ｂ）、及び引取装置（Ｃ）からなり、折幅の片端に開き口を有する巻物状二枚折重ねフィルムを一枚のフィルムにする開反装置であって、フィルム繰出装置（Ａ）は二枚折重ねフィルムの巻物を巻物の軸方向の周りに回転可能に、かつほぼ垂直に保持しつつ、二枚折重ねフィルムを繰出し、フィルムガイド装置（Ｂ）は繰出された二枚折重ねフィルムを全折幅に亘り挟む２本組ロール、及び開き口から二枚折重ねフィルムを左右に開く山型ガイドからなり、引取装置（Ｃ）はしわを取除きつつ開かれたフィルムを引取ることを特徴とする開反装置。
【請求項２】
山型ガイドが、平滑な表面を有する円柱管からなることを特徴とする請求項１記載の開反装置。
【請求項３】
山型ガイドが、空気噴出し機能を有することを特徴とする請求項１または２記載の開反装置。
【発明の詳細な説明】
【０００１】
【発明の属する技術分野】
本発明は巻物状の開き口を有する二枚折重ねフィルムの開反装置に関する。詳しくは、折幅の片端に長手方向に添って開き口を有する二枚折重ねフィルムの巻物を、巻き解きながら折り目を開き、一枚物のフィルムに拡げる開反装置に関する。
【０００２】
【従来の技術】
農業用ハウスやトンネルの被覆材としては、展張作業や保守が容易なように、幅が４ｍ以上のポリオレフィン樹脂やポリ塩化ビニル樹脂のフィルムが用いられる。これらの中でポリオレフィン樹脂のフィルムは、インフレーション成形法で作られた筒状フィルムを切り開いて作られることが多い。一般には、筒状フィルムに開き口となるスリットを入れて二枚重ねに折り畳まれフィルムをロール状に巻き取った巻物の形で市販されている。このような巻物の二枚折重ねフィルムを開反するには、水平に保持された巻物から二枚折重ねフィルムを繰り出しながら、スリット部に棒や篦を差し込み手作業で折り目を拡げていた。二枚折重ねフィルムの折幅が２ｍ以下であれば、このような開反作業も２人の作業者で実施可能であるが、より広幅のフィルムの場合には３人以上の人手が必要となるので、省力化が望まれていた。更に、広幅のフィルムでは開反に必要な巻物からの繰り出し距離が長くなり広い作業場が必要となるばかりか、フィルムが作業台や床面と接触して汚れが付着したり擦り傷が生じて商品価値を著しく損なうという問題があった。
【０００３】
また、農業用フィルムには防曇性を付与するために防曇剤が多量に添加されており、更に透明性を高めるためフィルム表面が平滑となっている。その結果、フィルム同士が密着しやすく、こうした密着しやすい巻物フィルムを開反する場合には、フィルム同士の密着のため作業が捗らないばかりか、剥離帯電による静電気の蓄積のため電撃が生じたり、フィルムが再度密着したりする問題があった。
また、巻物の折幅は５ｍを超える場合があり、人手による開反作業には少なくとも３人が必要であり、省力化が望まれていた。
【０００４】
このような問題を解決するため、巻物の軸を水平に支持しながら二枚折重ねフィルムを繰出し、開き口に空気吹込みノズルから空気を吹込む方法が提案されている（例えば、特許文献１参照）。この方法ではフィルムの開反作業性は向上するが、結局は人手によって一枚物のフィルムにする必要があり省力化にはならず、広い作業スペースが必要であった。また、巻物の軸を垂直に支持しながら二枚折重ねフィルムを繰出し、開き口に空気吹込みノズルから空気を吹込む方法が提案されている（例えば、特許文献２参照）。この方法では、フィルムに汚れが付着したり擦り傷が発生することが少なく、作業スペースも比較的狭くてすみ省力化にはなるものの、一度開反された二枚折重ねフィルムが、静電気等で再び密着し折角の開反作業の効果が半減する等の問題があった。
【０００５】
【特許文献１】
実開平７−４３４３２号公報
【特許文献２】
特開平１１−１２９３１７号公報
【０００６】
【発明が解決しようとする課題】
本発明の課題は、巻物状の二枚折重ねフィルムを開反する作業において、少ない人手で作業ができ、かつ一旦開反した二枚折重ねフィルム同士が再び密着し難い開反装置を提供することである。
【０００７】
【課題を解決するための手段】
本発明者等は、上記の課題を解決するため鋭意研究した。その結果、少なくとも、フィルム繰出装置（Ａ）、フィルムガイド装置（Ｂ）、及び引取装置（Ｃ）からなり、折幅の片端に開き口を有する巻物状二枚折重ねフィルムを一枚のフィルムにする開反装置であって、フィルム繰出装置（Ａ）は二枚折重ねフィルムの巻物を巻物の軸方向の周りに回転可能に、かつほぼ垂直に保持しつつ、二枚折重ねフィルムを繰出し、フィルムガイド装置（Ｂ）は繰出された二枚折重ねフィルムを全折幅に亘り挟む２本組ロール、及び開き口から二枚折重ねフィルムを左右に開く山型ガイドからなり、引取装置（Ｃ）はしわを取除きつつ開かれたフィルムを引取る開反装置によって課題が解決されることを知り、この知見に基づいて本発明を完成した。
【０００８】
本発明は以下によって構成される。
（１）少なくとも、フィルム繰出装置（Ａ）、フィルムガイド装置（Ｂ）、及び引取装置（Ｃ）からなり、折幅の片端に開き口を有する巻物状二枚折重ねフィルムを一枚のフィルムにする開反装置であって、フィルム繰出装置（Ａ）は二枚折重ねフィルムの巻物を巻物の軸方向の周りに回転可能に、かつほぼ垂直に保持しつつ、二枚折重ねフィルムを繰出し、フィルムガイド装置（Ｂ）は繰出された二枚折重ねフィルムを全折幅に亘り挟む２本組ロール、及び開き口から二枚折重ねフィルムを左右に開く山型ガイドからなり、引取装置（Ｃ）はしわを取除きつつ開かれたフィルムを引取ることを特徴とする開反装置。
【０００９】
（２）山型ガイドが、平滑な表面を有する円柱管からなることを特徴とする前記（１）項記載の開反装置。
【００１０】
（３）山型ガイドが、空気噴出し機能を有することを特徴とする前記（１）項または（２）項記載の開反装置。
【００１１】
【発明の実施の形態】
本発明の開反装置は、少なくとも、フィルム繰出装置（Ａ）、フィルムガイド装置（Ｂ）、及び引取装置（Ｃ）からなり、フィルム繰出装置（Ａ）は二枚折重ねフィルムの巻物を巻物の軸方向の周りに回転可能に、かつほぼ垂直に保持しつつ、二枚折重ねフィルムを繰出し、フィルムガイド装置（Ｂ）は繰出された二枚折重ねフィルムを全折幅に亘り挟む２本組ロール、及び開き口から二枚折重ねフィルムを左右に開く山型ガイドからなり、引取装置（Ｃ）はしわを取除きつつ開かれたフィルムを引取る。
また、本発明の開反装置には、更に静電気除去装置、粉振装置、裁断装置、巻取装置、折畳装置、梱包装置等を組入れることができる。
【００１２】
本発明の開反装置に供される折幅の片端に開き口を有する巻物状二枚折重ねフィルムは、通常、ポリオレフィン等の熱可塑性樹脂をインフレーション成形法により筒状フィルムに成形し、折幅の片端をカットして開き口を形成した後、紙管等の芯材に巻き取って得られる。尚、開き口を形成した後、巻き取る前に、開き口から空気、澱粉等のスリップ剤を吹き込んでもよい。
【００１３】
以下、図面を参照しながら本発明の開反装置について説明する。図１は本発明の開反装置の１例を側面からみた模式図であり、図２は本発明の開反装置を用いて開反する場合の概念図である。
本発明において、フィルム繰出装置（Ａ）は、巻物の軸方向の周りに回転可能にかつ実質的に垂直に二枚折重ねフィルムの巻物を支持しつつ二枚折重ねフィルムを繰出す装置である。二枚折重ねフィルムの巻物は実質的に垂直に支持されて繰出されるため床面の埃がフィルムに付着しにくく、装置も広い設置場所を必要としないという利点を有する。
【００１４】
フィルム繰出装置（Ａ）は、架台１、アーム２、巻芯チャック３ａ、３ｂ、支持幹５を備える。架台１にはキャスターを取りつければ移動が容易で、フィルム繰出装置（Ａ）とフィルムガイド装置（Ｂ）との間隔の調節も容易である。ベアリング（図示せず）を介してアーム２に取り付けられた上下の巻芯チャック３ａ、３ｂは、二枚折重ねフィルムの巻物を回転自在に支持する。アーム２には、巻物の幅に応じて巻芯チャック３ａ、３ｂの間隔を調節するために、スライド機構４が備えられる。架台１に据え付けられたアーム２は、支持幹５をスライドさせることにより、傾きを調節することができる。アーム２に巻物をセットする場合、二枚折重ねフィルムは片端の開き口は下側になるようにする。アーム２に二枚折重ねフィルムの巻物を垂直にセットするためには、二枚折重ねフィルムの巻芯に金属管を通し、金属管の片端の中心が巻芯チャック３ｂに位置するようにし、他の端を吊り上げて巻物をほぼ垂直にして回転軸の上部中心に位置決めする方法が例示できる。尚、二枚折重ねフィルムの繰出しを停止すると巻物自体の回転も止まるようになっていることが好ましい。
【００１５】
本発明において、フィルム繰出装置（Ａ）から繰出された二枚折重ねフィルムは、フィルムガイド装置（Ｂ）によって、張力をかけて再密着を防ぎながら１枚のフィルムに広げられる。二枚折重ねフィルムは２本組ロール６でピンチされながら、山型ガイド７によって左右に開かれ、１枚のフィルムに広げられ、ガイドロール８を経て引取装置（Ｃ）に供給される。２本組ロール６はたるみを防止しつつ二枚折重ねフィルムを山型ガイド７に供給する。２本組ロール６の回転軸はほぼ垂直で、巻芯チャック３ａ、３ｂの回転軸と平行である。２本組ロール６は駆動ロールでもフリーロールでもよい。また２本組ロール６の材質は金属ロールとゴムロールの組合せが例示できるが、フィルムを傷つけることなく繰出せるものであれば特に限定されない。２本組ロール６の長さは、二枚折重ねフィルムを全幅で挟むことができる長さを有し、ロールの開閉はエアーシリンダー等を用いて行われる。
【００１６】
本発明において、二枚折重ねフィルムは、山型ガイド７によって開き口から左右に開かれ、１枚のフィルムに広げられる。フィルムは山型ガイド７に沿って広げられるため、フィルム同士が再び密着することが防止される。
山型ガイド７は、頂角がほぼ９０度の２等辺三角形に近い形状を有するが、頂点部分はフィルムを傷つけないように丸みを帯びた形状となっていることが好ましい。山型ガイド７は、フィルムと接触するため、平滑な面によって構成される。例えば、円柱管や、鏡面ロールを用いて構成される。山型ガイド７は、連続した構造でも幾つかに分かれていてもよいが、連続した構造であれば、少ない材料で強度の高い山型ガイドを構成することができる。また、幾つかに分かれていれば、設置や撤去が容易となる。
【００１７】
山型ガイド７の幅は、開反されるフィルムの幅以上の長さである。山型ガイド７が円柱管からなる場合、山型ガイド７の頂点部分またはその近傍に空気噴出し口を設ければ、空気圧により二枚重ねフィルムの山折部の開反を円滑に行うことができる。
円柱管や、鏡面ロールの材質が金属であると、フィルムの接触面の帯電が緩和されるため好ましい。
山型ガイド７によって１枚に開かれたフィルムは、ガイドロール８を経て引取装置（Ｃ）に供給される。通常、ガイドロール８には、開かれたフィルムの幅以上の長さのストレートロールが使用される。ガイドロール８は、フィルムのしわを取除くため、２本以上のロールから構成しても良い。しわを取除くためには、ヘリカルロール、ベンディングロール等が用いられる。
【００１８】
一般に、開かれたフィルムの幅が広くなるほど、フィルムにしわが発生し易くなる。しわの発生を防止するため、フィルムガイド装置（Ｂ）には、幅方向の両端を掴んで一定の方向へ移動させるピンチ機能を持つロール、ベルトテンター、ピンテンター、クリップテンター等を組み込むことができる。中でもピンチ機能を持つガイドロール及びベルトテンターがフィルムを損傷しにくいため好ましい。
【００１９】
本発明において、引取装置（Ｃ）はフィルムガイド装置（Ｂ）によって１枚に開かれたフィルムをしわを取除きつつ引取る。引取装置（Ｃ）は、床面とほぼ平行に設置された引取ロール９、押えロール１０、及びこれらのロールの駆動モーター（図示せず）からなる。引取ロール９は、開かれたフィルムの幅以上の長さのものを設置する。引取ロール９としてはストレートロールが一般的だが、しわの発生を防止するためベンディングロール等を用いることもできる。押えロール１０は、引取りロール９の全長に亘って分散して配置され、自重またはバネ圧で引取ロール９を押さえ、引取ロール９上でのフィルムのスリップを防止し、フィルム幅全体を均一に引き取る。このような効果を有する限り、押えロール１０の形状や数には特別の制限はない。
尚、本開反装置の駆動モーターは相互に連動して制御され、フィルムに必要以上の張力がかからないようにすることが好ましい。
【００２０】
引取られたフィルムは、必要に応じて設けられた静電気除去装置により静電気を除去し、更に必要に応じてフィルム同士の癒着防止のため粉振装置等で粉を振った後、用途に応じて必要な寸法に裁断し、紙管に巻き取ったり折り畳む等して、梱包され出荷される。
【００２１】
本発明において必要に応じて用いられる静電気除去装置は、広げられたフィルムの再密着を防止する装置として除電器（バー式、ブロアー式）、導電性繊維を用いた布、金属チェーン等が挙げられるが、コストの面から地面にアースされた導電性繊維不織布または金属チェーンが望ましい。具体的には、フィルムガイド装置により広げられたフィルムの上部より暖簾式に導電性繊維不織布または金属チェーン吊り下げ、導電性繊維不織布またはチェーンの反対の端部を地面にアースする方法が例示される。
【００２２】
本発明において必要に応じて用いられる粉振装置は、公知の装置でよい。粉末はフィルムに損傷を与えて透明性を損なわなければ無機物でも有機物でも構わないが、フィルムに損傷を与え難く、価格が安価で比較的安全な澱粉が適当である。澱粉に限らず有機物の粉末を用いる場合は、粉塵災害を招かないように空気中の粉末量をコントロールする必要がある。
また、本発明において必要に応じて用いられる裁断装置、巻取装置、折畳装置、梱包装置、長さや重量の計測機器等は公知のもので構わない。
【００２３】
【発明の効果】
以上説明したように本発明の開反装置は、巻物状の二枚折重ねフィルムを開反する作業において、フィルムに汚れや傷、しわ等の欠陥を与えることなく、さらに１人の作業員でも容易に開反することができ、一旦開反した二枚折重ねフィルム同士が再び密着し難いコンパクトな開反装置である。
【図面の簡単な説明】
【図１】本発明の開反装置の１例を側面からみた模式図。
【図２】本発明の開反装置を用いて開反する場合の概念図。
【符号の説明】
Ａ：フィルム繰出装置
Ｂ：フィルムガイド装置
Ｃ：引取装置
１：架台
２：アーム
３ａ：巻芯チャック（上部）
３ｂ：巻芯チャック（下部）
４：スライド機構
５：支持幹
６：２本組ロール
７：山型ガイド
８：ガイドロール
９：引取ロール
１０：押えロール
【図１】
2004307155.tif 000003
【図２】
2004307155.tif 000004